Podtech/llm-jp-corpus-v4-ja_patent huggingface dataset:
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
ストレージデバイスを制御するためのシステムであって、
仮想化リソースマネージャと、
ストレージコントローラとを含み、前記ストレージコントローラが、
仮想化リソースマネージャに結合された第1のホストコントローラインターフェース(HCI)と、
1つまたは複数のクライアントにそれぞれ結合されるように構成された1つまたは複数の第2のHCIと、
前記第1のHCIおよび前記1つまたは複数の第2のHCIに通信可能に結合された仮想化レイヤと
を含み、
前記ストレージコントローラが、前記1つまたは複数のクライアントのうちの1つのクライアントから受信したストレージリソース要求を捕捉し、前記ストレージリソース要求を前記仮想化リソースマネージャに提供するように構成され、
前記仮想化リソースマネージャが、
前記クライアントに関する仮想リソース割振りを生成し、前記仮想リソース割振りを前記ストレージデバイス内の物理リソース割振りにマッピングすることと、
スプーフィングされたストレージリソース応答において、前記仮想リソース割振りおよび前記物理リソース割振りを前記仮想化レイヤに提供することと
を行うように構成され、
前記仮想化レイヤが、
ストレージリソースマッピングテーブル内に前記仮想リソース割振りおよび前記物理リソース割振りを記録することと、
前記クライアントへの前記仮想リソース割振りを含む、前記スプーフィングされたストレージリソース応答を提供することと
を行うように構成される、システム。
【請求項２】
前記仮想化レイヤがハイパーバイザである、請求項1に記載のストレージコントローラ。
【請求項３】
前記ストレージデバイスが埋込型マルチメディアカード(eMMC)である、請求項1に記載のストレージコントローラ。
【請求項４】
前記ストレージリソース要求が、eMMC読取りコマンドキュー(CQ)深度コマンドとして提供される、請求項3に記載のストレージコントローラ。
【請求項５】
前記eMMC読取りCQ深度コマンドが、前記ストレージデバイス内に含まれる拡張型(EXT)カード固有データ(CSD)(EXT_CSD)レジスタ内のCQ深度レジスタにおいて前記ストレージコントローラによって捕捉される、請求項4に記載のストレージコントローラ。
【請求項６】
前記仮想化リソースマネージャが、
ブート時間に前記ストレージコントローラに1つまたは複数のストレージリソースパラメータを要求することと、
前記ストレージコントローラからストレージリソースパラメータレポートを受信することであって、前記ストレージリソースパラメータレポートがeMMCコマンドキュー(CQ)深度を含む、受信することと、
前記1つまたは複数のストレージリソースパラメータを記録することと
を行うようにさらに構成される、請求項3に記載のストレージコントローラ。
【請求項７】
前記ストレージデバイスがユニバーサルフラッシュストレージ(UFS)である、請求項1に記載のストレージコントローラ。
【請求項８】
前記ストレージリソース要求が、UFS論理ユニットレポート(REPORT_LUNS)コマンドとして提供される、請求項7に記載のストレージコントローラ。
【請求項９】
前記ストレージリソース要求が、UFS INQUIRYコマンドとして提供される、請求項7に記載のストレージコントローラ。
【請求項１０】
前記仮想化リソースマネージャが、
ブート時間に前記ストレージコントローラに1つまたは複数のストレージリソースパラメータを要求することと、
前記ストレージコントローラからストレージリソースパラメータレポートを受信することであって、前記ストレージリソースパラメータレポートがUFS論理ユニット(LUNS)を含む、受信することと、
前記1つまたは複数のストレージリソースパラメータを記録することと
を行うようにさらに構成される、請求項7に記載のストレージコントローラ。
【請求項１１】
前記仮想化レイヤが、ハードウェア要素またはソフトウェア機能に含まれる、請求項1に記載のストレージコントローラ。
【請求項１２】
前記ストレージリソースマッピングテーブルが1つまたは複数のマッピングエントリを含み、前記1つまたは複数のマッピングエントリの各々が、それぞれのクライアントに対応し、前記1つまたは複数のマッピングエントリの各々が、
前記それぞれのクライアントの識別情報を示すクライアント識別情報フィールドと、
前記仮想リソース割振りにおける開始仮想スロット番号を示すタグフィールドと、
前記物理リソース割振りにおける開始物理スロット番号を示す開始物理スロットフィールドと、
前記物理リソース割振りにおいて前記それぞれのクライアントに割り振られた、前記開始物理スロット番号で始まる、連続的な物理スロットの数を示すスロットカウントフィールドと
をさらに含む、請求項1に記載のストレージコントローラ。
【請求項１３】
前記仮想化レイヤが
前記それぞれのクライアントからストレージリソースアクセス要求を受信することであって、前記ストレージリソースアクセス要求が仮想スロット番号を含む、受信することと、
前記仮想スロット番号に基づいて前記ストレージリソースマッピングテーブル内の対応する物理スロット番号を検索することと
を行うようにさらに構成され、
前記ストレージコントローラが、
少なくとも1つのストレージリソースアクセス命令を前記ストレージデバイスに提供することであって、前記少なくとも1つのストレージリソースアクセス命令が前記対応する物理スロット番号を含む、提供することと、
ストレージリソースアクセス結果を受信し、それを前記それぞれのクライアントに提供することと
を行うようにさらに構成される、
請求項12に記載のストレージコントローラ。
【請求項１４】
仮想化環境においてストレージリソースを管理するための方法であって、
クライアントから受信したストレージリソース要求をストレージコントローラによって捕捉するステップと、
前記ストレージリソース要求を仮想化リソースマネージャに提供するステップと、
前記仮想化リソースマネージャによって前記クライアントに関する仮想リソース割振りを生成するステップであって、前記仮想リソース割振りが、前記ストレージコントローラに結合されたストレージデバイス内の物理リソース割振りに対応する、ステップと、
前記仮想化リソースマネージャによって、前記仮想リソース割振りを前記物理リソース割振りにマッピングするステップと、
前記クライアントの前記仮想リソース割振りおよび識別情報を、前記ストレージコントローラ内に含まれる仮想化レイヤに提供するステップと、
前記仮想化リソースマネージャによって、スプーフィングされたストレージリソース応答を生成するステップであって、前記スプーフィングされたストレージリソース応答が前記仮想リソース割振りを含む、ステップと、
前記スプーフィングされたストレージリソース応答を受信し、前記仮想化レイヤによってストレージリソースマッピングテーブル内に前記仮想リソース割振りおよび前記物理リソース割振りを記録するステップと、
前記スプーフィングされたストレージリソース応答を前記仮想化レイヤによって前記クライアントに提供するステップと
を含む、方法。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングの面上のディスプレイと、
スキャナを含有する前記ハウジングの部分に近接する機械可読要素位置を検出するように適応かつ構成された該ハウジング内のスキャナと、
前記スキャナ及び前記ディスプレイと通信し、該スキャナによる前記機械可読要素の検出に応答して該ディスプレイを変えるためのコンピュータ可読命令を含む前記ハウジング内のコンピュータと、
を含むことを特徴とする活動タグ読取器。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
指紋認識を実行する方法であって、
カメラ、記憶媒体、前記記憶媒体に記憶される命令、および前記命令を実行することにより構成されるプロセッサを有するモバイル・デバイスによって、１つまたは複数の画像をキャプチャするステップであって、前記１つまたは複数の画像のそれぞれは、対象の指を表すステップと、
前記プロセッサで、セグメンテーション・アルゴリズムに従って前記１つまたは複数の画像から、前記指に対するそれぞれの指先セグメントを識別するステップと、
前記プロセッサで、前記指に対する識別可能な特徴を前記それぞれの指先セグメントから抽出するステップと、
前記抽出された識別可能な特徴を含むバイオメトリック識別子を生成するステップと、
前記生成されたバイオメトリック識別子を前記プロセッサで前記メモリに記憶するステップと
を含む方法。
【請求項２】
前記それぞれの指先セグメントを識別する前記ステップは、
前記プロセッサで、１つまたは複数の分類器を使用して複数の候補指先セグメントを識別する前記指を表す前記１つまたは複数の画像の少なくとも一部を分析するステップと、
前記プロセッサで、前記指に関する測定された身体的特徴および予想される身体的特徴に従って前記複数の候補指先セグメントをフィルタリングするステップと
を更に含む、請求項１に記載の方法。
【請求項３】
前記それぞれの指先セグメントの前記識別可能な特徴を抽出する前記ステップの前に、前記識別されたそれぞれの指先セグメントを強調するステップを更に含む、請求項１に記載の方法。
【請求項４】
前記それぞれの指先セグメントを強調するステップは、
前記プロセッサで、前記それぞれの指先セグメントに対する平滑化された隆線方向マップを生成するステップと、
前記平滑化された隆線方向マップを強調するステップと
を含む、請求項３に記載の方法。
【請求項５】
指紋認識を実行する方法であって、
カメラ、記憶媒体、前記記憶媒体に記憶される命令、および前記命令を実行することにより構成されるプロセッサを有するモバイル・デバイスによって、対象の複数の指を表す画像をキャプチャするステップと、
前記プロセッサで、指検出アルゴリズムを使用して、前記１つまたは複数の画像に表される前記複数の指を検出するステップと、
前記プロセッサで、セグメンテーション・アルゴリズムに従って１つまたは複数の前記画像から、前記複数の指の中の各指に対するそれぞれの指先セグメントを識別するステップと、
前記プロセッサで、各指に対して、識別可能な特徴を前記それぞれの指先セグメントから抽出するステップと、
前記抽出された識別可能な特徴を含むバイオメトリック識別子を生成するステップと、
前記生成されたバイオメトリック識別子を前記プロセッサで前記メモリに記憶するステップと
を含む方法。
【請求項６】
前記プロセッサで、前記生成されたバイオメトリック識別子は生体対象を表すと判定するステップを更に含む、請求項１又は５に記載の方法。
【請求項７】
前記それぞれの指先セグメントに対する識別可能な特徴を抽出するステップは、
特徴点抽出アルゴリズムに従って、前記それぞれの指先セグメントから前記指の特徴点を抽出するステップと、
前記バイオメトリック識別子を生成するステップは、前記メモリの前記抽出された特徴点を表している特徴ベクトルをコード化することと
を含む、請求項１又は５に記載の方法。
【請求項８】
前記プロセッサで、前記生成されたバイオメトリック識別子を前記ユーザと関連した前に記憶されたバイオメトリック識別子と照合するステップと、
前記照合するステップに基づいて、前記生成されたバイオメトリック識別子と前記記憶されたバイオメトリック識別子の間の類似性スコアを生成するステップと、
前記対象は前記類似性スコアに基づく前記ユーザであることを検証するステップと、
を更に含む、請求項１又は５に記載の方法。
【請求項９】
前記複数の指を検出する前記ステップは、複数の指検出アルゴリズムを適用することを含む、請求項５に記載の方法。
【請求項１０】
前記複数の指を検出する前記ステップは、
複数の指検出アルゴリズムの中の第１の指検出アルゴリズムを選択するステップと、
前記プロセッサによって、前記第１の指検出アルゴリズムを使用して、前記１つまたは複数の画像に表される指の少なくとも１つの候補セットを検出するステップと、
前記少なくとも１つの指の候補セットが前記複数の指を表すという可能性を表している品質尺度を計算するステップと、
定められた閾値を満たしていない前記品質に基づいて、別の指検出アルゴリズムを選択して、前記先行の検出および計算ステップを繰り返すステップと
を含む、請求項５に記載の方法。
【請求項１１】
前記第１及び第２の指検出は、別途訓練される分類器である、請求項１０に記載の方法。
【請求項１２】
前記プロセッサで、前記画像の１つまたは複数から、前記１つまたは複数の画像の範囲内の前記複数の指が位置的に安定であると判定するステップを更に含む、請求項５に記載の方法。
【請求項１３】
前記プロセッサによって、前記カメラを使用して、前記対象の前記指を表している１つまたは複数の初期画像をキャプチャするステップと、
前記プロセッサで、指発見アルゴリズムを使用して、前記１つまたは複数の初期画像に表される前記指を検出するステップと、
前記プロセッサで、前記１つまたは複数の初期画像から、前記１つまたは複数の初期画像に表される前記指に焦点が合っている、ということを判定するステップと、
前記プロセッサで、前記カメラを起動して前記１つまたは複数の初期画像の前記指を検出して、前記複数の指に焦点が合っている、と判定することに応答して、前記１つまたは複数の画像をキャプチャするステップと、
前記指に対する前記それぞれの指先セグメントを識別する前記ステップは、前記１つまたは複数の高解像度画像に基づいていることと
を更に含む、請求項１に記載の方法。
【請求項１４】
前記カメラを使用して、該カメラに対して第１の位置にある１つまたは複数の指の第１の画像をキャプチャするステップと、
前記カメラに対し、前記第１の位置とは異なる第２の位置において１つまたは複数の指を表している第２の画像をキャプチャするステップと、
前記カメラに対して異なるそれぞれの位置から１または複数の指を表している少なくとも第１及び第２の画像から、前記１または複数の指が三次元オブジェクトであることを決定するステップと、
前記前記１または複数の指が三次元オブジェクトであるという決定に基づき、前記対象が生体対象であることを検証するステップとをさらに含む請求項１又は５に記載の方法。
【請求項１５】
バイオメトリック識別子を生成する前記ステップは、  各指紋セグメントについて、指紋隆線の頻度を決定するステップと、  該指紋隆線の頻度と所定の参照頻度とに基づいて前記バイオメトリック識別子をスケーリングするステップと
をさらに含む請求項１又は５に記載の方法。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
ステレオカメラの自己調整のための方法であって、
ａ）前記ステレオカメラが、第１のカメラと第２のカメラとを備え、
ｂ）前記方法が、それぞれ、前記第１のカメラによって撮られた複数の第１の画像および前記第２のカメラによって撮られた複数の第２の画像から複数の画像ペアを、それぞれ、前記第１のカメラおよび前記第２のカメラによって基本的に同時に撮られた２つの画像を各画像ペアが備えるように、作成するステップを備え、
ｃ）前記方法が、画像ペアごとに、各画像ペアの前記２つの画像内の対応する点から複数の一致点ペアを、前記それぞれの画像ペアの前記第１の画像からの１つの点および前記それぞれの画像ペアの前記第２の画像からの１つの点を各一致点ペアが備えるように、作成する（Ｓ０１）ステップを備え、
ｄ）画像ペアごとに複数の視差が作成され、前記得られた複数の視差が前記自己調整のために考慮に入れられるように、一致点ペアごとに視差が計算され（Ｓ０３）方法において、
画像ペアごとに、前記複数の視差から視差ヒストグラムが作成され（Ｓ０３）、前記自己調整がこの視差ヒストグラムに基づく（Ｓ０３、Ｓ１２）ことと、
画像ペアごとに、前記対応する視差ヒストグラムが負の視差値における関連ピークを備えるかどうかが判定され（Ｓ１２）、関連ピークとは、他のピークの相対値よりも高い相対値を有するピーク、および／または、ある大きさのしきい値より上の絶対値を有するピークであり、わずかに正の視差値における関連ピークも、好ましくは負の視差値における関連ピークとして解釈されることと、
ａ）前記方法が、画像ペアごとにパン値を決定し（Ｓ１２）、複数の決定されたパン値をもたらすステップを備え、
ｂ）前記方法が、好ましくは、ある決定されたパン値を補正し、残りの決定されたパン値を補正しない（Ｓ１２）ことにより、前記複数の決定されたパン値から複数の補正されたパン値を作成するステップを備え、
ｃ）前記方法が、前記複数の補正されたパン値からのパン角全体の推定（Ｓ１３）を備えることと、
負の視差値における関連ピークが検出された場合、前記対応する画像ペアの前記決定されたパン値が補正され、および／または負の視差値における関連ピークが検出されなかった場合、前記対応する画像ペアの前記決定されたパン値が補正されない（Ｓ１２）ことと
、
を特徴とする、方法。
【請求項２】
前記方法を実行するために使用される数学モデルが、画像ペアごとに、可能なモデルのグループから選ばれ（Ｓ０４）、前記複数の視差が考慮に入れられ、前記視差ヒストグラムが考慮に入れられる
ことを特徴とする、請求項１に記載の方法。
【請求項３】
ａ）前記ヒストグラムが少なくとも所定の量の大きい視差を備える場合、位置成分（ｔ）を備える数学モデルが前記モデルのグループから選ばれ（Ｓ０４）、
ｂ）前記ヒストグラムが前記所定の量よりも少ない大きい視差を備える場合、位置成分（ｔ）をもたない数学モデルが前記モデルのグループから選ばれる（Ｓ０４）
ことを特徴とする、請求項２に記載の方法。
【請求項４】
ａ）前記方法が、画像ペアごとにチルト値を決定し（Ｓ０７）、複数の決定されたチルト値をもたらすステップを備え、
ｂ）前記方法が、前記複数の決定されたチルト値からのチルト角全体の推定（Ｓ０７）を備え、
ｃ）前記方法が、画像ペアごとにロール値を決定し、複数の決定されたロール値をもたらす（Ｓ１２）ステップを備え、および／または
ｄ）前記方法が、前記複数の決定されたロール値からのロール角全体の推定（Ｓ１２）を備え、
ｅ）前記チルト角全体が、前記パン角全体が推定される前、および／または前記ロール角全体が推定される前に推定され、
ｆ）前記パン角全体が、前記ロール角全体が推定される前に推定される
ことを特徴とする、請求項１から３のいずれか一項に記載の方法。
【請求項５】
前記自己調整のために補償テーブルが考慮に入れられ、前記補償テーブルが複数のフロー補償値を備え、各フロー補償値が各一致点ペアの１つの点に潜在的に適用されるフロー補償を示す
ことを特徴とする、請求項１から４のいずれか一項に記載の方法。
【請求項６】
前記フロー補償が、各画像ペアの１つの画像、好ましくは各画像ペアの右の画像のみに適用され、前記フロー補償が、
ａ）前記フロー補償が適用されるべき前記画像をグリッド、好ましくは１６×１２のグリッドとして細分化し、こうして複数のバケット、好ましくは１９２個のバケットを作成し、こうして前記フロー補償が適用される前記画像のあらゆる点を１つの特定のバケットに入るようにするステップであって、各バケットが前記補償テーブルの１つのフロー補償値に対応する、ステップと、
ｂ）前記対応するフロー補償値によって示された前記フロー補償をあらゆるバケット内の各点に適用するステップと
を備えることを特徴とする、請求項５に記載の方法。
【請求項７】
前記方法が、画像ペアごとの幾何形状値を決定するステップを備え、前記決定された幾何形状値がパン角ではなく、ロール角ではなく、チルト角ではなく、前記決定された幾何形状値が、好ましくは変換値であり、複数の決定された幾何形状値、好ましくは変換値をもたらし、前記方法が、前記複数の決定された幾何形状値から、幾何形状値全体、好ましくは変換全体を推定するステップを備える
ことを特徴とする、請求項５または６に記載の方法。
【請求項８】
前記方法が、前記補償テーブルを作成する手順を備え、
前記補償テーブルを作成する前記手順が、
ａ）強力な較正手順、特に３Ｄグリッドおよび／またはチェッカーボードを使用する較正手順によって前記ステレオカメラの内部パラメータを定義するステップと、好ましくは、
ｂ）３Ｄ基準距離を使用することにより、基準パン角および／もしくは基準幾何形状値、好ましくは変換を見つけるステップ、または
ｃ）請求項５から７のいずれか一項に記載の前記ステップを適用することにより、前記基準パン角および／または前記基準幾何形状値を見つけるステップのいずれかと
備えることを特徴とする、請求項５から７のいずれか一項に記載の方法。
【請求項９】
請求項１から８のいずれか一項に記載の方法を実行するように構成された、デバイス、特にステレオカメラシステム。
【請求項１０】
請求項９に記載のデバイスを備える、車両。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
第2のヌメロロジにより第1のヌメロロジを多重化する方法であって、
周波数分割多重化トランスミッタの1組の周波数トーンにおいて前記第1のヌメロロジのシンボルを受信するステップと、
前記周波数分割多重化トランスミッタの周波数トーンの第2の組において前記第2のヌメロロジのシンボルを受信するステップであって、前記第1のヌメロロジのトーンと前記第2のヌメロロジのトーンとのトーン間の間隔の比が、時間周期内に前記第1のヌメロロジおよび前記第2のヌメロロジによって送信されるシンボルの数の比に関係する整数Kである、ステップと、
前記第1のヌメロロジのトーンと前記第2のヌメロロジのトーンとの間に位置するガードバンド内のシンボルを受信するステップであって、前記ガードバンド内のシンボルが、前記第1のヌメロロジまたは前記第2のヌメロロジのいずれかとして解釈され得る波形で送信される、ステップと
を含む、方法。
【請求項２】
前記第1のヌメロロジが、ノーマル・サイクリック・プレフィックス・ヌメロロジであり、前記第2のヌメロロジが、拡張サイクリック・プレフィックス・ヌメロロジであり、前記Kが2である、請求項1に記載の方法。
【請求項３】
前記第1のヌメロロジが、ノーマル・サイクリック・プレフィックス・ヌメロロジであり、前記第2のヌメロロジが、フェムトセル・ヌメロロジであり、前記Kが4である、請求項1に記載の方法。
【請求項４】
第1のヌメロロジを第2のヌメロロジと多重化する方法であって、
周波数分割多重化トランスミッタの1組の周波数トーンにおいて前記第1のヌメロロジのシンボルを送信するステップと、
前記周波数分割多重化トランスミッタの周波数トーンの第2の組において前記第2のヌメロロジのシンボルを送信するステップであって、前記第1のヌメロロジのトーンと前記第2のヌメロロジのトーンとのトーン間の間隔の比が、ある時間周期内に前記第1のヌメロロジおよび前記第2のヌメロロジによって送信されるシンボルの数の比に関係する整数Kである、ステップと、
前記第1のヌメロロジのトーンと前記第2のヌメロロジのトーンとの間に位置するガードバンド内のシンボルを送信するステップであって、前記ガードバンド内の前記シンボルが、前記第1のヌメロロジまたは前記第2のヌメロロジのいずれかとして解釈され得る波形で送信される、ステップと
を含む、方法。
【請求項５】
前記第1のヌメロロジが、ノーマル・サイクリック・プレフィックス・ヌメロロジであり、前記第2のヌメロロジが、拡張サイクリック・プレフィックスであり、前記Kが2である、請求項4に記載の方法。
【請求項６】
前記第1のヌメロロジが、ノーマル・サイクリック・プレフィックス・ヌメロロジであり、前記第2のヌメロロジが、フェムトセル・ヌメロロジであり、前記Kが4である、請求項4に記載の方法。
【請求項７】
第2のヌメロロジにより第1のヌメロロジを多重化するための装置であって、
周波数分割多重化トランスミッタの1組の周波数トーンにおいて前記第1のヌメロロジのシンボルを送信するための手段と、
前記周波数分割多重化トランスミッタの周波数トーンの第2の組において前記第2のヌメロロジのシンボルを送信するための手段であって、前記第1のヌメロロジのトーンと前記第2のヌメロロジのトーンとのトーン間の間隔の比が、時間周期内に前記第1のヌメロロジおよび前記第2のヌメロロジによって送信されるシンボルの数の比に関係する整数Kである、手段と、
前記第1のヌメロロジのトーンと前記第2のヌメロロジのトーンとの間に位置するガードバンド内のシンボルを送信するための手段であって、前記ガードバンド内のシンボルが、前記第1のヌメロロジまたは前記第2のヌメロロジのいずれかとして解釈され得る波形で送信される、手段と
を備える、装置。
【請求項８】
周波数分割多重化トランスミッタの1組の周波数トーンにおいて第1のヌメロロジのシンボルを受信するための手段と、
前記周波数分割多重化トランスミッタの周波数トーンの第2の組において第2のヌメロロジのシンボルを受信するための手段であって、前記第1のヌメロロジのトーンと前記第2のヌメロロジのトーンとのトーン間の間隔の比が、時間周期内に前記第1のヌメロロジおよび前記第2のヌメロロジによって送信されるシンボルの数の比に関係する整数Kである、手段と、
前記第1のヌメロロジのトーンと前記第2のヌメロロジのトーンとの間に位置するガードバンド内のシンボルを受信するための手段であって、前記ガードバンド内のシンボルが、前記第1のヌメロロジまたは前記第2のヌメロロジのいずれかとして解釈され得る波形で送信される、手段と
を備える、装置。
【請求項９】
請求項1から３および４から６のいずれか一項に記載の方法を実行するための命令を含む、コンピュータプログラム。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
ミリメートル波ワイヤレス通信システムにおけるワイヤレス通信のための方法であって、
前記ミリメートル波ワイヤレス通信システムの第1の基地局が、前記ミリメートル波ワイヤレス通信システムの第2の基地局に関連付けられたタイミングパラメータおよび伝搬パラメータを決定するステップと、
前記ミリメートル波ワイヤレス通信システムの前記第1の基地局が、前記タイミングパラメータおよび前記伝搬パラメータに少なくとも部分的に基づいて前記第2の基地局と発見手順を実行するステップであって、前記発見手順の少なくとも一部分が、前記ミリメートル波ワイヤレス通信システムを介してワイヤレスに実行される、実行するステップと、
前記ミリメートル波ワイヤレス通信システムの前記第1の基地局が、前記発見手順に少なくとも部分的に基づいて、前記第2の基地局とのバックホール通信リンクを確立するステップと
を含む、方法。
【請求項２】
前記第1の基地局および前記第2の基地局に対する接続を有するネットワークエンティティを識別するステップと、
前記タイミングパラメータ、もしくは前記伝搬パラメータのうちの少なくとも1つ、またはそれらの組合せを示す情報を前記ネットワークエンティティから受信するステップと
をさらに含む、請求項1に記載の方法。
【請求項３】
前記第2の基地局との前記バックホール通信リンクを確立するための要求を示す情報を前記ネットワークエンティティに送信するステップ
をさらに含む、請求項2に記載の方法。
【請求項４】
前記ネットワークエンティティが、前記ミリメートル波ワイヤレス通信システムの第3の基地局に関連付けられたワイヤレス通信リンクを介して前記第1の基地局および前記第2の基地局に接続される、請求項2に記載の方法。
【請求項５】
前記タイミングパラメータまたは前記伝搬パラメータのうちの少なくとも1つを示す、前記ネットワークエンティティから受信された前記情報が、前記第1の基地局または前記第2の基地局の前のバックホール通信リンク、もしくは前記第1の基地局または前記第2の基地局を介した通信に関連付けられた、1つまたは複数のユーザ機器(UE)から受信されたメッセージ、またはそれらの組合せに少なくとも部分的に基づく、請求項2に記載の方法。
【請求項６】
前記第1の基地局が同期期間中に同期信号の送信を控えるステップと、
前記同期期間中に前記第1の基地局が、前記第2の基地局によって送信された同期信号を監視するステップと
をさらに含む、請求項1に記載の方法。
【請求項７】
前記第2の基地局が前記同期信号を送信したと決定すると、前記送信された同期信号に少なくとも部分的に基づいて前記発見手順を開始するステップ
をさらに含む、請求項6に記載の方法。
【請求項８】
前記第1の基地局が、前記同期信号の送信を控えて、前記第2の基地局からの前記同期信号の送信を監視することに関連付けられた所定の周期性を決定するステップ、
をさらに含む、請求項6に記載の方法。
【請求項９】
前記第1の基地局が、少なくとも1つのユーザ機器(UE)が前記第1の基地局および前記第2の基地局と通信中であると決定するステップと、
前記第2の基地局に関連付けられた前記タイミングパラメータまたは前記伝搬パラメータのうちの少なくとも1つを決定するための1つまたは複数のメッセージを前記少なくとも1つのUEを通じて前記第2の基地局に中継するステップと
をさらに含む、請求項1に記載の方法。
【請求項１０】
前記第2の基地局に関連付けられた情報を含む1つまたは複数のメッセージを前記UEから受信するステップと、
前記UEから受信された前記1つまたは複数のメッセージに少なくとも部分的に基づいて前記発見手順を実行することを決定するステップと
をさらに含む、請求項9に記載の方法。
【請求項１１】
前記少なくとも1つのUEが、前記ミリメートル波ワイヤレス通信システムのワイヤレス通信リンクを介して前記第1の基地局および前記第2の基地局と通信中である、請求項9に記載の方法。
【請求項１２】
前記バックホール通信リンクが、前記ミリメートル波ワイヤレス通信システムを介して確立されたワイヤレスバックホール通信リンクである、請求項11に記載の方法。
【請求項１３】
ミリメートル波ワイヤレス通信システムの第1の基地局であって、
前記ミリメートル波ワイヤレス通信システムの前記第1の基地局が、前記ミリメートル波ワイヤレス通信システムの第2の基地局に関連付けられたタイミングパラメータおよび伝搬パラメータを決定するための手段と、
前記ミリメートル波ワイヤレス通信システムの前記第1の基地局が、前記タイミングパラメータおよび前記伝搬パラメータに少なくとも部分的に基づいて前記第2の基地局と発見手順を実行するための手段であって、前記発見手順の少なくとも一部分が、前記ミリメートル波ワイヤレス通信システムを介してワイヤレスに実行される、実行するための手段と、
前記ミリメートル波ワイヤレス通信システムの前記第1の基地局が、前記発見手順に少なくとも部分的に基づいて、前記第2の基地局とのバックホール通信リンクを確立するための手段と
を含む、第1の基地局。
【請求項１４】
処理手段およびメモリ手段をさらに含み、請求項１から12のいずれか一項に記載の方法を実行するように適合された、請求項13に記載の第1の基地局。
【請求項１５】
コンピューティングデバイスの処理手段によって実行されたときに、請求項1から12のいずれか一項に記載の方法を実行するための命令を含む、コンピュータプログラム。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
ＬＥＤ管ランプのための離調配置であって、
離調回路であって、
ランプ電流を受け取る入力接続と、
前記ＬＥＤ管ランプのドライバに当該離調回路を接続する出力接続と、
前記入力接続の１つと前記出力接続の１つとの間の直列インダクタと、
前記入力接続間の並列コンデンサと、
を有する離調回路と、
前記並列コンデンサに直列であるコンフィギュレーション回路であって、所定の閾値を超える前記ランプ電流を検出すると共に、前記ランプ電流が所定の閾値を超える場合に前記並列コンデンサを外へ切り替えるように実現されている電流検出回路を有するコンフィギュレーション回路と、
を有する離調配置。
【請求項２】
前記コンフィギュレーション回路は、
−  ランプ電流が蛍光管ランプ電流の１００％に近い値に到達することを検出することによって、前記高周波切替バラストがＩＣ制御型であると決定する、及び
−  ランプ電流が蛍光管ランプ電流の１５０％の所定の閾値に到達することを検出することによって、前記高周波切替バラストが自己発振型であると決定する、
ように実現されている、請求項１に記載の離調配置。
【請求項３】
前記コンフィギュレーション回路が、ランプ電流が前記所定の閾値を超える場合に前記離調回路の少なくとも１つの要素を外に切り替えるように実現されたスイッチを有する、請求項１に記載の離調配置。
【請求項４】
前記電流検出回路は電力抵抗器を有し、前記スイッチは前記電力抵抗器に熱的に結合された熱ヒューズを有する、請求項２又は３に記載の離調配置。
【請求項５】
前記スイッチは再設定可能な熱ヒューズを有する、請求項３又は４に記載の離調配置。
【請求項６】
前記スイッチはＰＴＣ抵抗器を有する、請求項３に記載の離調配置。
【請求項７】
前記熱ヒューズの状態の可視な指示を有する、請求項４又は５に記載の離調配置。
【請求項８】
前記コンフィギュレーション回路は双方向性ＡＣスイッチを有し、前記電流検出回路は、前記ランプ電流を検出する電流検出抵抗器を有し、前記電流検出回路は、検出された前記ランプ電流がランプ電流閾値を超える場合、前記双方向性ＡＣスイッチを開けるように実現されている、請求項１乃至７の何れか一項に記載の離調配置。
【請求項９】
前記コンフィギュレーション回路は中継器を有し、前記電流検出回路は、検出された前記ランプ電流がランプ電流閾値を超える場合に前記中継器を開くように実現されている、請求項１乃至８の何れか一項に記載の離調配置。
【請求項１０】
高周波切替バラストと共に使用するために実現されたＬＥＤ管ランプであって、
ＬＥＤ配置と、
前記ＬＥＤ配置を駆動するように実現されたドライバと、
請求項１乃至９の何れか一項に記載の離調配置と、
を有するＬＥＤ管ランプ。
【請求項１１】
前記離調回路は前記ドライバへの入力に配されている、請求項１０に記載のＬＥＤ管ランプ。
【請求項１２】
管直径５．０ｍｍ〜５０．０ｍｍの範囲の直管蛍光灯又は小型蛍光灯に置き換わるレトロフィットランプとして実現された請求項１０又は１１に記載のＬＥＤ管ランプであって、少なくともＬＥＤ配置、ドライバ及び前記離調配置とを収容する本質的に管状のハウジングとを有するＬＥＤ管ランプ。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
バラストを介して給電されるように構成されるランプのためのフィラメント回路であって、前記フィラメント回路は、
前記バラストの第１のバラスト出力に結合されるように構成される第１のフィラメント入力と、
前記バラストの第２のバラスト出力に結合するように構成される第２のフィラメント入力と、
インダクタを有する第１の回路と、
抵抗及びコンデンサの並列コンフィギュレーションを有する第２の回路と、
前記第１のフィラメント入力と前記第２のフィラメント入力との間の直流経路であって、前記第１及び第２の回路の直列コンフィギュレーションが前記直流経路を有している、直流経路と、
前記ランプの光源を駆動するドライバのドライバ入力に結合されるように構成されるフィラメント出力と、
を有し、
前記フィラメント出力は
ａ）前記第１のフィラメント入力から、
ｂ）前記第２のフィラメント入力から、又は
ｃ）前記第１の回路と前記第２の回路との間の接合から
直接的に得られる、
フィラメント回路。
【請求項２】
請求項１に記載の前記フィラメント回路を有する装置であって、前記ドライバを更に有し、前記フィラメント出力が前記ドライバ入力に結合されている、装置。
【請求項３】
請求項２に記載の装置であって、前記フィラメント回路が第１のフィラメント回路であり、前記装置は、第２のフィラメント回路を更に有し、前記第２のフィラメント回路は、
−  前記バラストの第３のバラスト出力に結合されるように構成される第３のフィラメント入力と、
−  前記バラストの第４のバラスト出力に結合されるように構成される第４のフィラメント入力と、
−  更なるインダクタを有する第３の回路と、
−  抵抗とコンデンサとの更なる並列コンデンサを有する第４の回路と、
−  前記第３のフィラメント入力と前記第４のフィラメント入力との間の更なる直流経路であって、前記第３の回路及び前記第４の回路の直列コンフィギュレーションが前記更なる直流経路を有する、更なる直流経路と、
−  前記ドライバの更なるドライバ入力に結合される更なるフィラメント出力であって、前記更なるフィラメント出力は、
ａ'）前記第３のフィラメント入力から、
ｂ'）前記第４のフィラメント入力から、又は
ｃ'）前記第１の回路と前記第２の回路との間の接合から、
直接的に得られる、更なるフィラメント出力と、
を有する装置。
【請求項４】
請求項２に記載の装置を有するランプであって、前記光源を更に有するランプ。
【請求項５】
請求項４に記載のランプであって、前記光源は発光ダイオード回路を有する、ランプ。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
核酸バーコード配列の複数のコピーを、別個の実体中に導入する方法であって、
別個の実体中に複数の核酸標的分子をカプセル封入するステップと、
別個の実体中に、核酸バーコード配列の複数のコピーを含む細胞を導入するステップと、
細胞を溶解して、別個の実体中に核酸バーコード配列の複数のコピーを放出するステップと、
別個の実体を、複数の核酸標的分子またはその増幅産物中への核酸バーコード配列の酵素的組込みに十分な条件に供するステップと
を含む、方法。
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
第１電極と、第２電極と、前記第１電極と前記第２電極との間に配設された複合積層体と、を備え、
前記複合積層体は、
１つ以上の熱可塑性導電層と、
前記１つ以上の熱可塑性導電層に隣接して配設された１つ以上の熱可塑性絶縁層と、を含み、
前記１つ以上の熱可塑性導電層は総厚さＴＣを有し、前記１つ以上の熱可塑性絶縁層は総厚さＴＩを有し、ＴＣ／ＴＩは３を超える、コンデンサ。
【請求項２】
前記複合積層体は、２つ以上の熱可塑性導電層を含み、少なくとも１つの熱可塑性絶縁層が、各熱可塑性導電層を分離する、請求項１に記載のコンデンサ。
【請求項３】
前記１つ以上の熱可塑性絶縁層のうちの少なくとも１つは、複数の絶縁サブレイヤを含む、請求項１に記載のコンデンサ。
【請求項４】
前記複数の絶縁サブレイヤは、第１の絶縁性熱可塑性ポリマーと、前記第１の絶縁性熱可塑性ポリマーとは異なる第２の絶縁性熱可塑性ポリマーとが交互になった積層体を含む、請求項３に記載のコンデンサ。
【請求項５】
前記１つ以上の熱可塑性導電層の各々は、６０Ｈｚの周波数で、約１０−６Ｓ／ｍを超える平面外導電率を有する、請求項１に記載のコンデンサ。
【請求項６】
前記１つ以上の熱可塑性導電層の少なくとも１つは、浸透閾値よりも高い濃度で複数の導電性粒子と配合された熱可塑性ポリマーを含む、請求項１に記載のコンデンサ。
【請求項７】
前記複合積層体は、６０Ｈｚの周波数で約１８を超える実数部を有する実効誘電関数を有する、請求項１に記載のコンデンサ。
【請求項８】
前記複合積層体は、約６０Ｈｚを超える周波数の共振を持つ実効誘電関数を有する、請求項１に記載のコンデンサ。
【請求項９】
前記複合積層体が、１Ｈｚと１０ＭＨｚとの間の周波数で、０．００１未満の実効損失正接を有する、請求項１に記載のコンデンサ。
【請求項１０】
第１電極と、第２電極と、前記第１電極と前記第２電極との間に配設された複合積層体と、を備え、
前記複合積層体は、
２つ以上の熱可塑性導電層と、
前記２つ以上の熱可塑性導電層が散在している２つ以上の熱可塑性絶縁層と、
前記２つ以上の熱可塑性導電層のうちの少なくとも１つは、浸透閾値よりも高い濃度で複数の導電性粒子と配合された熱可塑性ポリマーを含む、コンデンサ。
【請求項１１】
前記２つ以上の熱可塑性導電層は総厚さＴＣを有し、前記２つ以上の熱可塑性絶縁層は総厚さＴＩを有し、ＴＣ／ＴＩは３を超える、請求項１０に記載のコンデンサ。
【請求項１２】
前記２つ以上の熱可塑性絶縁層のうちの少なくとも１つは、複数の絶縁サブレイヤを含む、請求項１０に記載のコンデンサ。
【請求項１３】
前記複合積層体は、６０Ｈｚの周波数で約２０を超える実数部を持つ実効誘電関数を有する、請求項１０に記載のコンデンサ。
【請求項１４】
コンデンサの製造方法であって、
少なくとも１つの熱可塑性絶縁材料を提供するステップと、
少なくとも１つの熱可塑性導電材料を提供するステップと、
前記少なくとも１つの熱可塑性絶縁材料と前記少なくとも１つの熱可塑性導電材料とを共押出して複合積層体を形成するステップと、
前記複合積層体を延伸するステップと、
前記複合積層体の第１側に第１の電極を貼り付けるステップと、
前記複合積層体の前記第１側と反対側の前記複合積層体の第２側に第２の電極を貼り付けるステップと、を備え、
前記複合積層体は、
総厚さＴＣを有する１つ以上の導電層と、
総厚さＴＩを有する１つ以上の絶縁層と、を含み、
ＴＣ／ＴＩは３を超える、製造方法。
【請求項１５】
前記少なくとも１つの熱可塑性導電材料は、浸透閾値より高い濃度で複数の導電性粒子と配合された熱可塑性ポリマーを含む、請求項１４に記載の製造方法。
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
基板を支持するための支持面を有する本体と、
ＲＦ源からＲＦ電流を受け取るために、前記支持面に近接して前記本体に配置されたＲＦ電極と、
前記本体を支持するシャフトと、
内部容積を有する、前記シャフトの中を通って延在する導電性要素であって、前記ＲＦ電極に結合された導電性要素と、
ＲＦガスケットであって、前記導電性要素が、前記ＲＦ電流をグラウンドに戻すために前記ＲＦガスケットに係合する特徴部を含む、ＲＦガスケットと、
を備える、基板支持体。
【請求項２】
前記支持面上に配置されたときに基板に熱を提供するために、前記支持面に近接して前記基板支持体に配置されたヒータであって、前記ヒータに電力を提供するための１つまたは複数の導電線を有するヒータ、
をさらに備える、請求項１に記載の基板支持体。
【請求項３】
前記支持面上に配置されたときに基板の温度を測定するために、前記基板支持体に配置された熱電対、
をさらに備える、請求項２に記載の基板支持体。
【請求項４】
１つまたは複数の導電線および前記熱電対が前記導電性要素の前記内部容積内に配置されている、請求項３に記載の基板支持体。
【請求項５】
前記本体の反対側の前記シャフトの端部に結合された前記基板支持体に、または前記基板支持体から熱を伝達するための伝熱体、
をさらに備える、請求項２に記載の基板支持体。
【請求項６】
前記シャフトと前記伝熱体との間に結合されたアダプタ部分であって、前記ＲＦガスケットが前記アダプタ部分と前記伝熱体との間に配置されている、アダプタ部分、
をさらに備える、請求項５に記載の基板支持体。
【請求項７】
前記アダプタ部分を取り囲む環状の付勢可能な要素であって、前記基板支持体が処理位置にある場合は、前記アダプタ部分にコンタクトし、前記基板支持体が前記処理位置にない場合は、前記アダプタ部分から離間されている環状の付勢可能な要素、
をさらに備える、請求項６に記載の基板支持体。
【請求項８】
前記環状の付勢可能な要素が銅ベリリウムまたはニッケルベリリウムを含む、請求項７に記載の基板支持体。
【請求項９】
ＲＦ電流が前記導電性要素を流れるとき、前記導電性要素が前記内部容積内で約ゼロの電界を有する、請求項１から８までのいずれか１項に記載の基板支持体。
【請求項１０】
前記導電性要素が前記内部容積内へ延出する突部を含む、請求項１から８までのいずれか１項に記載の基板支持体。
【請求項１１】
第１の端部で前記ＲＦ電極に、および前記第１の端部の反対側の第２の端部で前記突部に結合されたＲＦピン、
をさらに備える、請求項１０に記載の基板支持体。
【請求項１２】
前記導電性要素が円筒形である、請求項１から８までのいずれか１項に記載の基板支持体。
【請求項１３】
前記導電性要素が板金から形成されている、請求項１２に記載の基板支持体。
【請求項１４】
前記基板支持体へ、または前記基板支持体から熱を伝達するための伝熱体と、
前記シャフトと前記伝熱体との間に結合されたアダプタ部分であって、前記ＲＦガスケットが前記アダプタ部分と前記伝熱体との間に配置されている、アダプタ部分と、
前記支持面上に配置されたときに基板に熱を提供するために、前記支持面に近接して前記基板支持体に配置されたヒータであって、前記ヒータに電力を提供するための１つまたは複数の導電線を有するヒータと、
前記支持面上に配置されたときに基板の温度を測定するために、前記基板支持体に配置された熱電対と、
をさらに備える、請求項１に記載の基板支持体。
【請求項１５】
処理容積を囲む処理チャンバと、
前記処理容積内に配置され、前記処理チャンバのフロアに電気的に結合された請求項１から１４までのいずれか１項に記載されるような基板支持体と、
を備える、基板処理システム。
【手続補正２】
【補正対象書類名】明細書
【補正対象項目名】００１０
【補正方法】変更
【補正の内容】
【００１０】
シャワーヘッド１１９は、図１に示すようにガスパネル１２１に結合され、処理容積１０４に１つまたは複数のプロセスガスを提供し、処理容積１０４などでプラズマを点火させることができる。シャワーヘッド１１９は、１つまたは複数のプロセスガスを処理容積１０４に送出するための１つの例示的なチャンバ部品にすぎない。代替としてまたは組合せにおいて、１つまたは複数のプロセスガスは、処理チャンバ１０２の壁の周りに配置された側面注入ポート（図示せず）または処理チャンバの他の領域に配置されたガス入り口を介して処理容積１０４に送出されてもよい。代替としてまたは組合せにおいて、１つまたは複数のプロセスガスは、プラズマが形成される遠隔の容積（図示せず）に送出され、次いで処理容積１０４内に流されてもよい。
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
計測システムであって、
一定量の照明光を発生するように構成された照明源と、
前記照明源からの一定量の照明光を、測定対象の試料の表面上の測定スポットに、入射面内の１つ以上の入射角で向けるように構成された照明光学素子サブシステムと、
入射光に感応する平坦な二次元表面を有し、その表面上の波長分散方向に対して垂直な方向に複数画素の電荷を集積することにより前記一定量の照明光への前記試料の応答を表す複数の出力信号を生成するように構成された検出器と、
試料の表面上の測定スポットからの一定量の収集光を収集して、収集された一定量の収集光を前記検出器の表面に向けるように構成された収集光学素子サブシステムを備え、前記収集光学素子サブシステムは、ウェハ表面上の入射面と整列した方向が検出器表面上の波長分散の方向に対して垂直に配向するように、前記測定スポットを前記検出器の表面上にイメージングする、計測システム。
【請求項２】
前記一定量の照明光は、少なくとも５００ナノメートルにわたる波長範囲を含む広帯域照明光である、請求項１に記載の計測システム。
【請求項３】
前記一定量の照明光の少なくとも一部は、直角入射角で前記試料に提供される、
請求項１に記載の計測システム。
【請求項４】
前記一定量の照明光の少なくとも一部は、偏斜入射角で前記試料に提供される、請求項１に記載の計測システム。
【請求項５】
前記計測システムは、分光楕円偏光計と分光反射率計のうち任意の１つ以上として構成される、請求項１に記載の計測システム。
【請求項６】
前記照明光学素子の偏光スリットの射影が前記計測システムの分光計スリットに満たない、請求項１に記載の計測システム。
【請求項７】
前記照明源はレーザー駆動光源である、請求項１に記載の計測システム。
【請求項８】
前記照明光学素子サブシステムは、前記試料上に射影される照明フィールドを前記入射面に直交する方向に限定するように構成されたプログラマブル照明フィールドストップを含む、請求項１に記載の計測システム。
【請求項９】
検出器表面上の波長分散の方向に沿って所望の点広がり関数を達成するために、照明フィールドストップの状態を変えるために前記プログラマブル照明フィールドストップにコマンド信号を伝送するように構成されたコントローラをさらに備えた、請求項１に記載の計測システム。
【請求項１０】
前記試料の表面に射影される前記一定量の照明光のビームサイズは、試料の表面上で測定される測定ターゲットよりも小さい、請求項１に記載の計測システム。
【請求項１１】
前記検出器は電荷結合素子（ＣＣＤ）検出器である、請求項１に記載の計測システム。
【請求項１２】
装置であって、
照明源からの一定量の広帯域照明光を、測定対象の試料の表面上の測定スポットに、入射面内の１つ以上の入射角で向けるように構成された照明システムと、
入射光に感応する平坦な二次元表面を有し、検出器表面上の波長分散の方向に対して垂直な方向に複数の画素にわたり電荷を集積することによって複数の出力信号を生成するように構成された分光検出器と、
試料の表面上の測定スポットからの一定量の収集光を収集して、前記一定量の収集光を前記分光検出器の表面に向けるように構成された収集光学素子サブシステムを備え、前記収集光学素子サブシステムは、ウェハ表面上の入射面と整列した方向が、検出器表面上の波長分散の方向に対して垂直に配向するように、前記測定スポットを前記分光検出器の表面上にイメージングする、装置。
【請求項１３】
前記照明システムは、前記試料上に射影される照明フィールドを、前記入射面に直交する方向に限定するように構成されたプログラマブル照明フィールドストップを含む、請求項１２に記載の装置。
【請求項１４】
検出器表面上の波長分散の方向に沿って所望の点広がり関数を達成するために、照明フィールドストップの状態を変えるために前記プログラマブル照明フィールドストップにコマンド信号を伝送するように構成されたコントローラをさらに備えた、請求項１３に記載の装置。
【請求項１５】
方法であって、
照明源からの一定量の広帯域照明光を、測定対象の試料の表面上の測定スポットに、入射面内の１つ以上の入射角で射影し、
前記試料表面上の入射面と整列した方向が、検出器表面上の波長分散の方向に対して垂直に配向するように、測定スポットからの一定量の収集光を二次元検出器の表面上にイメージングし、
前記一定量の照明光に対する前記試料の応答を表す複数の出力信号を生成し、複数の出力信号を生成することは、検出器表面上の波長分散の方向に垂直な方向に複数の画素にわたり電荷を集積することを含む、方法。
【請求項１６】
構造的パラメータの予測を、少なくとも部分的に前記複数の出力信号に基づいて確定することをさらに含む、請求項１５に記載の方法。
【請求項１７】
前記一定量の広帯域照明光は少なくとも５００ナノメートルにわたる波長範囲を含む、請求項１５に記載の方法。
【請求項１８】
前記１つ以上の入射角の少なくとも１つは偏斜入射角である、請求項１５に記載の方法。
【請求項１９】
前記試料の表面に射影される照明フィールドの範囲を、入射面に直交する方向に限定することをさらに含む、請求項１５に記載の方法。
【請求項２０】
前記照明フィールドの範囲を限定することは、検出器表面上の波長分散の方向に沿って所望の点広がり関数を達成するために、前記照明フィールドストップの状態を変えるために前記プログラマブル照明フィールドストップにコマンド信号を伝送することを含む、請求項１９に記載の方法。
【手続補正２】
【補正対象書類名】図面
【補正対象項目名】図１１
【補正方法】変更
【補正の内容】
【図１１】
2018508995.tif 000001